(57)【特許請求の範囲】
【請求項１】
タンクと、
前記タンクの下部に設けられるキャスタと、
前記タンクの上方に載置される本体と、
前記本体の内部に設けられるモータ及び吸込ファンと、
前記本体の上面に設けられる凹部と、
前記本体に対して回転可能であり、前記凹部に没入可能なハンドルと、
前記ハンドルに設けられる一対の基端と、を有し、
前記本体に対して前記ハンドルは、一対のピンを回転中心として回転する、集塵機であって、
前記凹部の下部に一対の規制溝を設け、
前記ハンドルが前記凹部に没入した状態では、前記一対の基端と前記一対の規制溝とが係合せず、
前記ハンドルが前記本体から起立した状態では、前記一対の基端と前記一対の規制溝とが係合し、前記ピンの軸方向へ前記基端が移動することを規制するよう構成されており、
前記ハンドルが起立した状態で、前記ハンドルの下方に前記モータが位置し、前記モータの下方に前記吸込ファンが位置するように構成した
ことを特徴とする集塵機。
【請求項２】
前記一対のピンは、前記ハンドルから互いに近接する方向に延びており、
前記凹部には、前記一対の規制溝の上方であって、前記ピンの反対側に第１の凹み部が設けられていることを特徴とする請求項１に記載の集塵機。
【請求項３】
前記凹部には、前記一対の規制溝の上方であって、前記ピン側に第２の凹み部が設けられていることを特徴とする請求項１又は２に記載の集塵機。
【発明の詳細な説明】
【技術分野】
【０００１】
本発明は、所定のハンドル構造を備えた集塵機に関する。
【背景技術】
【０００２】
例えば集塵機では、吸込口を備えたタンクの上方を、モータ駆動する吸込ファンによって吸気ユニットを形成した本体で閉塞してなり、本体の上面には運搬用のハンドルが設けられている。このハンドル構造としては、取付の容易性を考慮して、特許文献１，２に示すように、ハンドルの基端に突設したピンを、ハンドル取付側に設けた軸支孔に嵌入させて回転可能に取り付けた構造がよく知られている。
しかし、ピンと軸支孔との連結であると、ハンドルに振動や衝撃が加わったりした場合にハンドルが外れるおそれが生じる。そこで、取付後のハンドルを外れにくくするために、特許文献１では、ハンドルの基端に段違いの逃げ凹部と保持面を、ハンドル取付側に規制突部を設けて、ピンの軸支孔への嵌入を逃げ凹部によって可能とすると共に、ハンドル取付後は、規制突部が保持面と係合してハンドル基端の拡がりを規制してハンドルの外れを防止する発明が記載されている。また、特許文献２では、ピンと軸支孔との形状の工夫によってピンを軸支孔から外れにくくしている。
【０００３】
【特許文献１】実公昭５６−２７８９２号公報
【特許文献２】実公昭５６−８６１４号公報
【発明の開示】
【発明が解決しようとする課題】
【０００４】
しかし、前者の発明は、ハンドルやハンドル取付側に段違いの逃げ凹部や規制突部等を形成する必要があるため、金型の形状が複雑となってコストアップに繋がる上、ハンドルの外れ防止を小さな規制突部に依存することで、経年使用によって摩耗したり、大きな負荷によって破損したりするおそれがある。これは後者の場合でも同様で、ピンと軸支孔との摺接による摩耗で本来の外れ防止機能が低下してしまう。
【０００５】
そこで、本発明は、簡単な構造で、取付の容易性を損なうことなく取付後のハンドルの外れが好適に防止でき、信頼性の高い集塵機を提供することを目的としたものである。
【課題を解決するための手段】
【０００６】
上記目的を達成するために、請求項１に記載の発明は、タンクと、タンクの下部に設けられるキャスタと、タンクの上方に載置される本体と、本体の内部に設けられるモータ及び吸込ファンと、本体の上面に設けられる凹部と、本体に対して回転可能であり、凹部に没入可能なハンドルと、ハンドルに設けられる一対の基端と、を有し、本体に対してハンドルは、一対のピンを回転中心として回転する、集塵機であって、凹部の下部に一対の規制溝を設け、ハンドルが凹部に没入した状態では、一対の基端と一対の規制溝とが係合せず、ハンドルが本体から起立した状態では、一対の基端と一対の規制溝とが係合し、ピンの軸方向へ基端が移動することを規制するよう構成されており、ハンドルが起立した状態で、ハンドルの下方にモータが位置し、モータの下方に吸込ファンが位置するように構成したことを特徴とする。
請求項２に記載の発明は、請求項１の構成において、一対のピンは、ハンドルから互いに近接する方向に延びており、凹部には、一対の規制溝の上方であって、ピンの反対側に第１の凹み部が設けられていることを特徴とする。
請求項３に記載の発明は、請求項１又は２の構成において、凹部には、一対の規制溝の上方であって、ピン側に第２の凹み部が設けられていることを特徴とする。
【発明の効果】
【０００７】
本発明によれば、簡単な構造で、取付の容易性を損なうことなく取付後のハンドルの外れが好適に防止でき、信頼性の高いハンドルが得られる。
【発明を実施するための最良の形態】
【０００８】
以下、本発明の実施の形態を図面に基づいて説明する。
図１は、集塵機の一例を示す縦断面図、図２は平面図で、集塵機１は、上面を開口して側面に吸込口３を突設したタンク２の上方に、ハウジングとなるカウリング５内に吸気ユニット６を収容した本体４を載置してなる。吸気ユニット６は、タンク２の開口を閉塞して本体４を支持するタンクカバー７によって、タンク２の中央上方から吊り下げ支持されており、内部に、モータ８と、そのモータ８の駆動で回転する吸込ファン９とを内蔵している。また、タンクカバー７には、吸込ファン９の真下で吸気ユニット６の下面に開口する吸気口１０，１０・・が形成されている。１１はタンクカバー７とタンク２の開口との間に挟持され、吸込口３と吸気ユニット６との間を遮断する袋形状で布製のフィルタ、１２，１２・・はタンク２の底面に設けられたキャスタである。
【０００９】
カウリング５は、上面が平坦な箱状を有しており、側面には、ダイヤル式の運転スイッチ１３や電動工具の電源コードを接続するキャップ付きの連動コンセント等が設けられている。
また、カウリング５の上面中央には、コ字状のハンドル１４が設けられている。このハンドル１４は、合成樹脂製で、両基端１５，１５の対向面には、図３にも示すように、基端１５，１５間を結ぶ直線上でピン１６が夫々突設されている。さらに、各基端１５には、ピン１６の位置を越えて先端側へ延長状に突出する突部１７が夫々形成されている。
【００１０】
一方、ハンドル１４の取付側となるカウリング５の上面には、ハンドル１４の形状に合わせて凹部１８が凹設されており、凹部１８におけるカウリング５中央側の端部内面には、軸支孔１９，１９が夫々形成されている。よって、ハンドル１４のピン１６，１６を軸支孔１９，１９に夫々嵌入させることで、ハンドル１４は、凹部１８内に全体が倒伏姿勢で没入してカウリング５の上面から突出しない収納位置（図１の実線位置）と、カウリング５の上面中央で起立して上方へ突出する使用位置（図１の点線位置及び図２，３）との間で回転可能に連結される。
【００１１】
ここで、凹部１８の外幅は、ハンドル１４の基端１５，１５間の外幅よりも大きく形成されて、ピン１６を軸支孔１９へ嵌入させる際に両基端１５，１５を外側へ拡げた状態としてもハンドル１４がそのまま凹部１８へ挿入可能となっている。また、凹部１８の底面において、軸支孔１９の下方部分には、図３，４に示すように、ハンドル１４の突部１７の幅に合わせた幅を有して凹部１８の形成方向で円弧状に凹む規制溝２０が凹設されている。この規制溝２０は、ハンドル１４を収納位置から使用位置へ回転させた際に同時に回転する突部１７の進入を許容することでハンドル１４の回転を阻害せず、ハンドル１４の使用位置では、進入して停止した突部１７と係合して基端１５，１５の外れ方向への移動を規制するものである。
【００１２】
以上の如く構成された集塵機１においては、ハンドル１４を取り付ける際は、両基端１５，１５を拡げるようにして凹部１８へ収容し、ピン１６，１６を軸支孔１９，１９へ嵌入させることになるが、前述のように凹部１８の外幅が大きく形成されているので、各ピン１６を軸支孔１９へ容易に嵌入させることができる。
こうしてハンドル１４を連結した後、ハンドル１４を使用位置へ起立させると、図３及び図４に点線で示すように、ハンドル１４の回転に伴ってピン１６を中心に下方へ回転する突部１７が凹部１８内の規制溝２０に進入し、使用位置では突部１７が規制溝２０内で係止して規制溝２０と係合する。よって、基端１５，１５の拡がり方向への移動が規制され、大きな負荷が加わってもハンドル１４が外れるおそれが少なくなる。
【００１３】
このように、上記形態のハンドル構造及び集塵機１によれば、ハンドル１４の各基端１５に、ピン１６を越えて先端側へ突出する突部１７を設ける一方、凹部１８の底面に、ハンドル１４の収納位置から使用位置への回転に伴う突部１７の進入を許容し、使用位置で突部１７と係合して基端１５，１５の外れ方向への移動を規制する規制溝２０を凹設したことで、取付の容易性を損なうことなく取付後のハンドル１４の外れが好適に防止でき、信頼性の高いハンドル１４が得られる。
【００１４】
なお、ハンドルの基端に設ける突部は、上記形態では基端と略同じ断面形状となっているが、突部のみサイズを小さくしたり、板状やピン状に断面形状を変えたりする等、適宜設計変更可能である。但し、突部の変更に合わせて突部と係合する規制溝も幅を狭くする等の変更は必要となる。
また、上記形態では、ピンをハンドルの基端の対向面に夫々設けているが、互いに逆向きとなる外面に夫々突設して、凹部の外側内面に設けた軸支孔に嵌入させるようにしてもよい。この場合、ハンドルの基端は取付時に間隔が縮められるため、凹部は内側に広く形成されることになる。
さらに、上記形態と逆に、ピンを凹部側に設け、軸支孔をハンドル側に設けることも可能である。
【００１５】
一方、ハンドルの形態は、コ字状に限らず、半円状やＵ字状等、適宜変更であるし、取付位置も本体の上面中央に限定されない。
そして、本発明のハンドル構造は、集塵機に限らず、例えば電動工具の収納箱や工具箱等、ハンドルを収納位置と使用位置とに回転操作するものであれば、他の分野の機械器具にも適用可能である。
【図面の簡単な説明】
【００１６】
【図１】集塵機の縦断面図である。
【図２】集塵機の平面図である。
【図３】本体部分の縦断面図である（ハンドルは使用位置）。
【図４】図３と交差方向となる本体部分の縦断面図である。
【符号の説明】
【００１７】
１・・集塵機、２・・タンク、４・・本体、５・・カウリング、６・・吸気ユニット、８・・モータ、９・・吸込ファン、１４・・ハンドル、１５・・基端、１６・・ピン、１７・・突部、１８・・凹部、１９・・軸支孔、２０・・規制溝。
【図１】
0005307519.tif 000002
【図２】
0005307519.tif 000003
【図３】
0005307519.tif 000004
【図４】
0005307519.tif 000005